(57)【要約】【課題】簡易な仕組みで２つの画像を重ね合わせた合成画像を生成する。【解決手段】メインレンズの焦点距離を取得し、取得されたメインレンズの焦点距離とサブレンズの焦点距離とに基づいてサブ画像ＧＳの所定位置Ｋから切り出される部分画像ＧＳｐとメイン画像ＧＭとが同じ大きさとなるよう調整倍率を設定し、設定された調整倍率を用いて部分画像ＧＳｐのサイズの調整を伴って部分画像ＧＳｐをメイン画像ＧＭの中央に重ね合わせたファインダー画像ＧＦを生成し、生成されたファインダー画像ＧＦを表示する。これにより、複雑な機構を採用することなく、簡易な仕組みで２つの画像を重ね合わせたファインダー画像ＧＦを生成することができる。【選択図】図７
2011135490.tif 000002
【特許請求の範囲】
【請求項１】
マニュアルフォーカスが可能でメインレンズの焦点距離を変更可能なデジタルカメラであって、
画像を表示する画像表示手段と、
前記メインレンズを介して得られる被写体の像を光電変換してメイン画像を生成するメイン撮像手段と、
サブレンズを介して得られる被写体の像を光電変換してサブ画像を生成するサブ撮像手段と、
前記メインレンズの焦点距離を取得する焦点距離取得手段と、
前記取得されたメインレンズの焦点距離に基づいて、画像の倍率を設定する倍率設定手段と、
前記設定された倍率で前記メイン画像と前記サブ画像の少なくとも一方の画像の変倍処理を伴って、該メイン画像と該サブ画像とを重ね合わせた合成画像を生成する合成画像生成手段と、
該生成された合成画像を表示するよう前記表示手段を制御する表示制御手段と
を備えるデジタルカメラ。
【請求項２】
前記倍率設定手段は、前記メイン画像の被写体の像と前記サブ画像の被写体の像とが略同じ大きさとなるよう倍率を設定する手段である請求項１記載のデジタルカメラ。
【請求項３】
前記サブレンズとしてパンフォーカスレンズが取り付けられてなる請求項２記載のデジタルカメラ。
【請求項４】
前記メインレンズの焦点距離を所定の焦点距離とした際の前記合成画像における大きさのずれの確認を伴って画像の倍率を設定するための所定の倍率規則の補正が可能な補正用モードを有する請求項３記載のデジタルカメラであって、
前記補正用モードにおいて、前記合成画像における大きさのずれが所定の程度以下となるよう前記設定された倍率に対する変更の指示を受け付ける指示受付手段と、
前記補正用モードにおいて、前記受け付けられた倍率の変更量を前記所定の焦点距離における補正量として用いて前記倍率規則を補正する補正手段と
を備えるデジタルカメラ。
【請求項５】
請求項１ないし４いずれか１項に記載のデジタルカメラであって、
マニュアルフォーカスの操作量を取得する操作量取得手段を備え、
前記合成画像生成手段は、前記合成画像として、前記取得された操作量と所定の切出規則とに基づいてマニュアルフォーカスによる焦点が被写体に合うほど該合成画像における重ね合わせ部分の位置のずれが小さくなるよう、前記サブ画像から部分的に画像を切り出す切出位置を設定すると共に該設定した切出位置に従って部分画像を切り出して前記メイン画像の所定位置に重ね合わせた画像を生成する手段である
デジタルカメラ。
【請求項６】
前記合成画像生成手段は、前記所定の切出規則として、前記メインレンズと前記サブレンズとの間隔と、前記取得された操作量から導かれる被写体までの距離とに基づく三角測量の原理により定められた規則を用いる手段である請求項５記載のデジタルカメラ。
【請求項７】
マニュアルフォーカスが可能でメインレンズの焦点距離を変更可能なデジタルカメラの製造方法であって、
（ａ）画像を表示する画像表示手段と、前記メインレンズを介して得られる被写体の像を光電変換してメイン画像を生成するメイン撮像手段と、サブレンズを介して得られる被写体の像を光電変換してサブ画像を生成するサブ撮像手段と、前記メインレンズの焦点距離を取得する焦点距離取得手段と、前記取得されたメインレンズの焦点距離に基づいて前記メイン画像の被写体の像と前記サブ画像の被写体の像とが略同じ大きさとなるよう画像の倍率を設定する倍率設定手段と、前記設定された倍率で前記メイン画像と前記サブ画像の少なくとも一方の画像の変倍処理を伴って該メイン画像と該サブ画像とを重ね合わせた合成画像を生成する合成画像生成手段と、該生成された合成画像を表示するよう前記表示手段を制御する表示制御手段と、各種データを記憶する記憶手段とを組み付ける組付工程と、
（ｂ）前記メインレンズの焦点距離を所定の焦点距離に変更する準備工程と、
（ｃ）前記合成画像生成手段に前記合成画像を生成させ、該生成させた合成画像の大きさのずれを確認したときには、該ずれが所定の程度以下となるように前記設定された倍率に対する調整を行なう調整工程と、
（ｄ）前記ずれが所定の程度以下となったときに設定されている倍率に基づいて、前記所定の焦点距離と前記倍率とを関連付けた倍率規則を生成させ、該生成させた倍率規則を前記記憶手段に登録させる登録工程と
を備えるデジタルカメラの製造方法。
【発明の詳細な説明】
【技術分野】
【０００１】
本発明は、デジタルカメラおよびその製造方法に関し、詳しくは、マニュアルフォーカスが可能でメインレンズの焦点距離を変更可能なデジタルカメラおよびその製造方法に関する。
【背景技術】
【０００２】
従来より、この種のカメラとしては、半透明鏡を含むファインダー光学系と、三角測量の原理を用いて撮影用レンズのマニュアルフォーカス操作に連動して回動する距離計光学系とからなる、いわゆる二重像合致式のレンジファインダーを備えるカメラが提案されている（例えば、特許文献１参照）。このようなカメラでは、ファインダー画像として、ファインダー光学系から入力されるファインダー像に距離計光学系から入力される距離計像を半透明鏡を介して重ね合わせた画像が用いられる。
【先行技術文献】
【特許文献】
【０００３】
【特許文献１】特開２００２−１２２９０７号公報
【発明の概要】
【発明が解決しようとする課題】
【０００４】
上述したカメラでは、距離計光学系をマニュアルフォーカス操作に連動して精度よく回動させる必要があり、そのために複雑な機構が必要となる。そのような機構においては、機構を構成する各構成部品の製造公差やカメラへの組み付けに高い精度が要求され、組み付け時の調整作業も時間の掛かるものとなる。
【０００５】
本発明は、簡易な仕組みで２つの画像を重ね合わせた合成画像を生成するデジタルカメラおよびその製造方法を提供することを主目的とする。
【課題を解決するための手段】
【０００６】
本発明のデジタルカメラおよびその製造方法は、上述の主目的を達成するために以下の手段を採った。
【０００７】
本発明のデジタルカメラは、
マニュアルフォーカスが可能でメインレンズの焦点距離を変更可能なデジタルカメラであって、
画像を表示する画像表示手段と、
前記メインレンズを介して得られる被写体の像を光電変換してメイン画像を生成するメイン撮像手段と、
サブレンズを介して得られる被写体の像を光電変換してサブ画像を生成するサブ撮像手段と、
前記メインレンズの焦点距離を取得する焦点距離取得手段と、
前記取得されたメインレンズの焦点距離に基づいて、画像の倍率を設定する倍率設定手段と、
前記設定された倍率で前記メイン画像と前記サブ画像の少なくとも一方の画像の変倍処理を伴って、該メイン画像と該サブ画像とを重ね合わせた合成画像を生成する合成画像生成手段と、
該生成された合成画像を表示するよう前記表示手段を制御する表示制御手段と
を備えることを要旨とする。
【０００８】
この本発明のデジタルカメラでは、メインレンズの焦点距離を取得し、取得されたメインレンズの焦点距離に基づいて画像の倍率を設定し、設定された倍率でメイン画像とサブ画像の少なくとも一方の画像の変倍処理を伴ってメイン画像とサブ画像とを重ね合わせた合成画像を生成し、生成された合成画像を表示するよう表示手段を制御する。これにより、簡易な仕組みでメイン画像とサブ画像とを重ね合わせた合成画像を生成することができる。なお、メインレンズの焦点距離は、メインレンズを焦点距離の異なるものに交換することにより変更するものとしてもよいし、焦点距離を変更可能なズームレンズを用いることにより変更するものとしてもよい。
【０００９】
また、本発明のデジタルカメラにおいて、前記倍率設定手段は、前記メイン画像の被写体の像と前記サブ画像の被写体の像とが略同じ大きさとなるよう倍率を設定する手段であるものとすることもできる。こうすれば、両画像の比較を容易に行なうことができる。この態様の本発明のデジタルカメラにおいて、前記サブレンズとしてパンフォーカスレンズが取り付けられてなるものとすることもできる。こうすれば、サブレンズの焦点距離が固定となるため、メインレンズの焦点距離に基づいて簡易な処理で画像の倍率を設定することができる。また、前記メインレンズの焦点距離を所定の焦点距離とした際の前記合成画像における大きさのずれの確認を伴って画像の倍率を設定するための所定の倍率規則の補正が可能な補正用モードを有するこの態様の本発明のデジタルカメラにおいて、前記補正用モードにおいて、前記合成画像における大きさのずれが所定の程度以下となるよう前記設定された倍率に対する変更の指示を受け付ける指示受付手段と、前記補正用モードにおいて、前記受け付けられた倍率の変更量を前記所定の焦点距離における補正量として用いて前記倍率規則を補正する補正手段とを備えるものとすることもできる。こうすれば、簡易な処理でユーザーによる倍率規則の補正を可能とすることができる。なお、「所定の程度以下」には、大きさのずれが予め定められた所定量以下となる状態やユーザーの目視により大きさのずれのないことを確認した状態を含むものである。
【００１０】
さらに、本発明のデジタルカメラにおいて、マニュアルフォーカスの操作量を取得する操作量取得手段を備え、前記合成画像生成手段は、前記合成画像として、前記取得された操作量と所定の切出規則とに基づいてマニュアルフォーカスによる焦点が被写体に合うほど該合成画像における重ね合わせ部分の位置のずれが小さくなるよう、前記サブ画像から部分的に画像を切り出す切出位置を設定すると共に該設定した切出位置に従って部分画像を切り出して前記メイン画像の所定位置に重ね合わせた画像を生成する手段であるものとすることもできる。こうすれば、合成画像の重ね合わせ部分の位置のずれを確認することにより被写体に焦点が合っているか否かを確認することができる。この態様の本発明のデジタルカメラにおいて、前記合成画像生成手段は、前記所定の切出規則として、前記メインレンズと前記サブレンズとの間隔と、前記取得された操作量から導かれる被写体までの距離とに基づく三角測量の原理により定められた規則を用いる手段であるものとすることもできる。
【００１１】
本発明のデジタルカメラの製造方法は、
マニュアルフォーカスが可能でメインレンズの焦点距離を変更可能なデジタルカメラの製造方法であって、
（ａ）画像を表示する画像表示手段と、前記メインレンズを介して得られる被写体の像を光電変換してメイン画像を生成するメイン撮像手段と、サブレンズを介して得られる被写体の像を光電変換してサブ画像を生成するサブ撮像手段と、前記メインレンズの焦点距離を取得する焦点距離取得手段と、前記取得されたメインレンズの焦点距離に基づいて前記メイン画像の被写体の像と前記サブ画像の被写体の像とが略同じ大きさとなるよう画像の倍率を設定する倍率設定手段と、前記設定された倍率で前記メイン画像と前記サブ画像の少なくとも一方の画像の変倍処理を伴って該メイン画像と該サブ画像とを重ね合わせた合成画像を生成する合成画像生成手段と、該生成された合成画像を表示するよう前記表示手段を制御する表示制御手段と、各種データを記憶する記憶手段とを組み付ける組付工程と、
（ｂ）前記メインレンズの焦点距離を所定の焦点距離に変更する準備工程と、
（ｃ）前記合成画像生成手段に前記合成画像を生成させ、該生成させた合成画像の大きさのずれを確認したときには、該ずれが所定の程度以下となるように前記設定された倍率に対する調整を行なう調整工程と、
（ｄ）前記ずれが所定の程度以下となったときに設定されている倍率に基づいて、前記所定の焦点距離と前記倍率とを関連付けた倍率規則を生成させ、該生成させた倍率規則を前記記憶手段に登録させる登録工程と
を備えることを要旨とする。
【００１２】
この本発明のデジタルカメラの製造方法によれば、各構成部品を組み付け、メインレンズの焦点距離を所定の焦点距離に変更し、合成画像生成手段に合成画像を生成させ、生成させた合成画像の大きさのずれを確認したときには、そのずれが所定の程度以下となるように設定された倍率に対する調整を行ない、ずれが所定の程度以下となったときに設定されている倍率に基づいて、所定の焦点距離と倍率とを関連付けた倍率規則を生成させ、生成させた倍率規則を記憶手段に登録させる。これにより、各構成部品の組付誤差などに起因するデジタルカメラの個体差に伴う倍率のずれを解消した上で倍率規則を登録することができる。
【図面の簡単な説明】
【００１３】
【図１】デジタルカメラ１０の構成の概略を示す構成図。
【図２】デジタルカメラ１０の斜視図。
【図３】デジタルカメラ１０の背面図。
【図４】切出規則Ｒｋを生成する方法の考え方を示す説明図。
【図５】サブ画像ＧＳにおける切出位置Ｋの一例を示す説明図。
【図６】倍率規則Ｒｂを生成する方法の考え方を示す説明図。
【図７】ファインダー画像表示処理ルーチンの一例を示すフローチャート。
【図８】ファインダー画像ＧＦが生成される様子を示す説明図。
【図９】ファインダー画像ＧＦのずれとピント合わせとの関係を示す説明図。
【図１０】補正処理ルーチンの一例を示すフローチャート。
【図１１】調整中のファインダー画像ＧＦ’の一例を示す説明図。
【図１２】デジタルカメラ１０の製造工程の一例を示す説明図。
【発明を実施するための形態】
【００１４】
次に、本発明の実施の形態を図面に基づいて説明する。図１は本発明の一実施形態であるデジタルカメラ１０の構成の概略を示す構成図であり、図２はデジタルカメラ１０の斜視図であり、図３はデジタルカメラ１０の背面図である。
【００１５】
本実施形態のデジタルカメラ１０は、本体１２と、被写体の像を光電変換しデジタル信号を出力するメイン電子撮像ユニット２０と、被写体を光電変換しファインダー画像を生成するためのデジタル信号を出力するサブ電子撮像ユニット４０と、メイン電子撮像ユニット２０やサブ電子撮像ユニット４０から出力される信号を入力して所定の画像処理を施して画像データや画像ファイルを生成する画像処理部７０と、画像処理部７０から入力した画像データをＥＶＦ（Electronic View Finder）８２や液晶モニター８４に表示させる表示制御部８０と、ユーザーによって操作される各種の操作スイッチ群９０と、画像処理部７０により生成された画像ファイルを保存可能なメモリーカード６０と、装置全体を制御するメインコントローラー３０とを備える。
【００１６】
メイン電子撮像ユニット２０は、図示しないレンズマウントを介して本体１２に交換可能に取り付けられマニュアルフォーカスレンズとして構成された撮影レンズ２１と、撮影レンズ２１を介して入力した光を光電変換によって電気信号に変換する周知のＣＣＤイメージセンサーとして構成されたイメージセンサー２２と、撮影レンズ機構２１とイメージセンサー２２との間に配置されたフォーカルプレーンシャッター２３と、イメージセンサー２２を駆動するドライバー回路２４と、イメージセンサー２２から出力された電気信号をデジタル信号に変換して出力するアナログフロントエンド（ＡＦＥ）２６とを備える。イメージセンサー２２は、数百万〜千数百万画素のセンサーとして構成されている。なお、イメージセンサー２２としてＣＣＤイメージセンサーを例示したが、ＣＭＯＳ型のイメージセンサーを採用してもよい。
【００１７】
撮影レンズ２１は、凸レンズと凹レンズとを組み合わせて構成されたレンズ群２１ａと、光量を調節する絞り機構２１ｂと、ユーザーによる回転操作（ピント合わせ操作）がなされることにより焦点位置が変わる距離リング２１ｃと、撮影レンズ２１の取り付け側に設けられ距離リング２１ｃの操作量（回転量）に応じて繰り出し量が変化するよう螺旋状に形成された繰り出し部２１ｄとを備える。なお、この撮影レンズ２１の光軸は、本体１２の底面と平行になっている。距離リング２１ｃには、図示は省略したが、距離目盛りが外周部分に表示されている。また、繰り出し部２１ｄは、本体１２内に前後方向に変位可能に設けられた連動コロ２９に当接している。このため、距離リング２１ｃの操作量は、繰り出し部２１ｄの繰り出し量を介して連動コロ２９の変位量に変換されることになる。また、デジタルカメラ１０には、この連動コロ２９の変位量を検出可能なコロ位置センサー２９ａが取り付けられている。これにより、距離リング２１ｃの操作量は、コロ位置センサー２９ａの検出値として検出されることになる。即ち、メイン電子撮像ユニット２０（撮影レンズ２１）のピント位置を反映した値が検出され、以下、この検出値を操作量Ｓｏとする。
【００１８】
サブ電子撮像ユニット４０は、レンズ群４１ａ，４１ｃと絞り機構４１ｂとを有し焦点距離が固定されたパンフォーカス式のサブレンズ４１と、サブレンズ４１を介して入力した光を光電変換によって電気信号に変換する周知のＣＣＤイメージセンサーとして構成されたイメージセンサー４２と、イメージセンサー４２を駆動するドライバー回路４４と、イメージセンサー４２から出力された電気信号をデジタル信号に変換して出力するＡＦＥ４６とを備える。なお、このサブ電子撮像ユニット４０の光軸は、本体１２の底面と平行になっている。ここで、サブ電子撮像ユニット４０とメイン電子撮像ユニット２０との間隔は、本体１２の左右（水平）方向に所定間隔Ａ、上下（垂直）方向に所定間隔Ｂだけ離れた位置となるように組み付けられる。なお、メイン電子撮像ユニット２０のイメージセンサー２２が数百万〜千数百万画素のセンサーとして構成されているのに対し、イメージセンサー４２は、例えば２００万画素など、数十万〜数百万画素のセンサーとして構成されている。
【００１９】
画像処理部７０は、図示しないが、ＲＧＢ画素の色補間処理やホワイトバランス処理、色再現処理、リサイズ処理、ガンマ補正処理、画像ファイル生成処理などのデジタルカメラにおける周知の画像処理を実行する各種の画像処理機能ブロックを備える。この画像処理部７０は、メイン電子撮像ユニット２０から出力されるデジタル信号を入力し画像処理を実行してメイン画像ＧＭを生成したり、生成したメイン画像ＧＭを所定形式の画像に変換し撮影情報を付加して画像ファイルを生成したり、サブ電子撮像ユニット４０から出力されるデジタル信号を入力し画像処理を実行してサブ画像ＧＳを生成したりする。また、画像処理部７０は、画像から部分的に画像を切り出す切出処理を実行する切出処理部と、切り出した部分画像を含めて画像のサイズを調整するサイズ調整部と、一方の画像に他方の画像を重ね合わせる合成処理を実行する合成処理部とを備えており、サブ画像ＧＳから部分的に切り出した部分画像ＧＳｐをメイン画像ＧＭに重ね合わせる合成処理を行なうことによりＥＶＦ８２に表示するためのファインダー画像ＧＦを生成する。なお、画像処理部７０の合成処理部は、下層の画像に対して上層に重ね合わせる画像の透明度を示す係数αを用いて下層の画像の画素値と上層の画像の画素値と混合して合成画像の画素値を生成する、いわゆるαブレンド処理が可能となっている。
【００２０】
表示制御部８０は、画像処理部７０で生成されたファインダー画像ＧＦをＥＶＦ８２に表示したり、画像処理部７０で生成されたメイン画像ＧＭやメモリーカード６０に保存された画像ファイル内の画像を液晶モニター８４に表示したりする。なお、表示制御部８０は、ファインダー画像ＧＦの特定の部分を拡大してＥＶＦ８２に表示する拡大表示処理が可能となっている。
【００２１】
操作スイッチ群９０は、シャッターボタン９０ａやダイヤルスイッチ（ＳＷ）９０ｂ，巻上レバー９０ｃ，モード選択ボタン９０ｄ，ＯＫボタン９０ｅ，キャンセルボタン９０ｆ，ＪＯＧダイヤル９０ｇ，焦点選択レバー９０ｈなどからなる。シャッターボタン９０ａは、撮影レンズ２１を通じてイメージセンサー２２上に結像された画像を取り込む指示をユーザーから受け付けるためのボタンである。ダイヤルスイッチ９０ｂは、ユーザーによるシャッタースピードや露出値などの撮影に関する各種設定値を設定するためのスイッチである。巻上レバー９０ｃは、巻上操作に伴って、フォーカルプレーンシャッター２３の図示しないシャッター幕をシャッターの切られた状態から再度次回のシャッター動作が可能な状態に引き上げて機械的に固定するためのボタンである。モード選択ボタン９０ｄは、各種モードを選択するためのボタンである。ここで、選択可能なモードとしては、液晶モニター８４の明るさの設定などの各種設定を行なう設定用モードやファインダー画像ＧＦの生成に用いられる後述する倍率規則Ｒｂを補正するための補正用モードなどがある。ＯＫボタン９０ｅは、各種選択を決定するためのボタンであり、キャンセルボタン９０ｆは、一旦行なった選択を解除するためのボタンである。ＪＯＧダイヤル９０ｇは、回転操作に伴って、液晶モニター８４に表示される各種項目を選択するためのカーソルを移動させたり、各種設定値の数値を変更したりする。また、このＪＯＧダイヤル９０ｇは、上方に引き上げられた状態と下方に押し下げられた状態のいずれかの状態にあり、例えば、上方に引き上げられた状態で回されると液晶モニター８４に表示される画像を上下にスクロールさせるためのダイヤルとして機能し、下方に押し下げられた状態で回されると左右にスクロールさせるためのダイヤルとして機能する。焦点選択レバー９０ｈは、取り付けられている撮影レンズ２１の焦点距離ｆを選択するためのレバーである。図２に示すように、焦点選択レバー９０ｈは、３つの焦点距離ｆ１，ｆ２，ｆ３のうちいずれかを選択可能となっており、撮影レンズ２１を交換したときにユーザーによって該当する焦点距離ｆの位置に操作される。
【００２２】
メインコントローラー３０は、ＣＰＵ３２を中心とするマイクロプロセッサーとして構成されており、処理プログラムや各種テーブルを記憶するＲＯＭ３４と、データを一時的に記憶するＲＡＭ３６と、データを書き換え可能で電源を切ってもデータを保持するフラッシュメモリー３８と、図示しない入出力ポートおよび通信ポートとを備える。フラッシュメモリー３８には、ファインダー画像ＧＦの生成に用いられる切出規則Ｒｋや倍率規則Ｒｂが登録されている。メインコントローラー３０には、操作スイッチ群９０からの各種の操作信号やコロ位置センサー２９からの操作量Ｓｏ、メモリーカード６０から読み出した画像ファイル、画像処理部７０からの各種画像などが入力される。また、メインコントローラー３０からは、フォーカルプレーンシャッター２３へのシャッター駆動信号やドライバー回路２４，４４への制御信号、メモリーカード６０へ書き込む画像ファイル、画像処理部７０への画像処理指令、表示制御部８０への表示制御指令などが出力される。
【００２３】
ここで、切出規則Ｒｋと倍率規則Ｒｂについて説明する。まず、切出規則Ｒｋについて説明する。この切出規則Ｒｋは、ファインダー画像ＧＦを生成するためにピント合わせ操作に応じてサブ画像ＧＳから部分画像を切り出す切出位置Ｋを設定するための規則である。図４は、切出規則Ｒｋを生成する方法の考え方を示す説明図であり、図５は、サブ画像ＧＳにおける切出位置Ｋの一例を示す説明図である。図４では、メイン電子撮像ユニット２０とサブ電子撮像ユニット４０とを上面から見た位置関係を示しており両撮像ユニットの間隔は上述したように所定間隔Ａである。また、図４に点線で示す領域は、サブ電子撮像ユニット４０の撮像領域のイメージを示す。図４に示すように、メイン電子撮像ユニット２０の光軸上の距離Ｌ１の位置にある被写体（図４中に黒丸で図示、以下同様）は、サブ電子撮像ユニット４０の光軸から角度θ１をなす撮像領域上の位置（白丸）に撮像される。同様に、距離Ｌ２の被写体（黒三角）は角度θ２をなす位置（白三角）に、距離Ｌ３の被写体（黒四角）は角度θ３をなす位置（白四角）にそれぞれ撮像される。このような角度θと距離Ｌと所定間隔Ａとは、三角測量の原理により式（１）のような関係にあり、所定間隔Ａは既知の定数であるため距離Ｌが決まれば角度θを求めることができる。なお、側面から見た位置関係の図示は省略したが、両撮像ユニットの上下方向の間隔は上述したように所定間隔Ｂであるから、角度θの代わりに角度φを用いると、式（１）と同様に式（２）のような関係にある。また、図５に示すように、サブ画像ＧＳ（撮像領域）の中心を原点として図５中左右方向をＸ軸，上下方向をＹ軸とするＸＹ座標系を設定すると、サブ画像ＧＳの中の被写体画像の位置は、デジタルカメラ１０から被写体までの距離が短くなるほど原点から遠ざかり、距離が遠くなるほど原点に近くなり無限遠の距離では原点に一致する。なお、図５では、図４に示した撮像領域の左右方向と方向を合わせるために、便宜上、本来の画像から左右を反転させたサブ画像ＧＳを図示するものとした。これらのことから、メイン画像ＧＭの中央部に映し出された距離Ｌ１の位置にある被写体画像は、サブ画像ＧＳにおいては、距離Ｌ１に対応する位置Ｋ１（Ｘ１，Ｙ１）を中心として映し出されることになる。ここで、被写体までの距離に応じて変化する距離リング２１ｃの操作量をコロ位置センサー２９ａによって操作量Ｓｏとして検出しているため、操作量Ｓｏに基づいて距離Ｌを導くことができる。このため、操作量Ｓｏから距離Ｌを導いて、導いた距離Ｌと式（１）（２）とから角度θ，角度φを求めることができる。そして、角度θとＸ座標との関係および角度φとＹ座標との関係を予め設定しておけば、角度θに対応するＸ座標の値と角度φに対応するＹ座標の値即ち切出位置Ｋを導出することができる。本実施形態では、このような操作量Ｓｏと切出位置Ｋとの対応関係を切出規則Ｒｋとして記憶しているものとした。この切出規則Ｒｋは、操作量Ｓｏと切出位置Ｋとの関係式として記憶し、切出位置Ｋを求める場合に、その関係式を用いて操作量Ｓｏから演算を行なって切出位置Ｋを求めるものとした。なお、角度θ，φの最大値はサブレンズ４１の画角により定まり、それに対応するＸ，Ｙ座標の値から、角度θとＸ座標との関係および角度φとＹ座標との関係を設定することができる。
【００２４】
tanθ=A/L  ・・・(1)
tanφ=B/L  ・・・(2)
【００２５】
次に、倍率規則Ｒｂについて説明する。この倍率規則Ｒｂは、サブ画像ＧＳとメイン画像ＧＭとに映し出される被写体を同じ大きさとするための、サブ画像ＧＳに対する倍率を設定するための規則である。図６は、倍率規則Ｒｂを生成する方法の考え方を示す説明図である。図６（ａ）〜（ｃ）はメイン画像ＧＭを示し、図６（ｄ）はサブ画像ＧＳを示す。なお、図６（ｄ）においても、図５と同様にサブ画像ＧＳの左右を反転させて図示するものとした。ここで、メイン電子撮像ユニット２０とサブ電子撮像ユニット４０とは、上述したように画素数の異なるイメージセンサー２２とイメージセンサー４２とが用いられているため、図示するように、メイン画像ＧＭとサブ画像ＧＳのサイズが異なるものとなる。また、メイン電子撮像ユニット２０は、焦点距離ｆの異なるレンズ２１を交換可能なものであり、焦点距離ｆが異なるとその画角も変わるため、図６（ａ）〜（ｃ）に示すように、各焦点距離ｆ１，ｆ２，ｆ３に応じてメイン画像ＧＭに映し出される被写体の大きさも変化することになる。このような、メイン画像ＧＭとサブ画像ＧＳとのサイズの違いや撮影レンズ２１の各焦点距離ｆ１，ｆ２，ｆ３とサブレンズ４１の焦点距離との関係に基づいて、サブ画像ＧＳに被写体像とメイン画像ＧＭの被写体像との大きさを揃えるための調整倍率Ｂを倍率Ｂ１，Ｂ２，Ｂ３としてそれぞれ設定し、各焦点距離ｆ１，ｆ２，ｆ３と関連付けた倍率規則Ｒｂを生成するものとした。
【００２６】
次に、こうして構成された本実施形態のデジタルカメラ１０の動作について説明する。図７は、メインコントローラー３０により実行されるファインダー画像表示処理ルーチンの一例を示すフローチャートである。このルーチンは、図示しない電源ボタンがオンにされ、撮影モードを開始してからオフされるまで実行される。なお、画像処理や表示制御などは、実際には画像処理部７０や表示制御部８０が主体となって行なわれるものであるが、以下の説明では特に主体を区別することなく説明する。このルーチンが実行されると、メインコントローラー３０は、まず、メイン電子撮像ユニット２０のイメージセンサー２２を駆動してデジタル信号の読み出しを行なうと共に（ステップＳ１００）、サブ電子撮像ユニット４０のイメージセンサー４２を駆動してデジタル信号の読み出しを行なう（ステップＳ１１０）。次に、読み出しを行なったデジタル信号に対して各種の画像処理を実行してメイン画像ＧＭとサブ画像ＧＳとを生成する（ステップＳ１２０）。メイン画像ＧＭとサブ画像ＧＳとを生成すると、現在取り付けられている撮影レンズ２１の焦点距離ｆを入力する（ステップＳ１３０）。ここでは、焦点選択レバー９０ｈにより焦点距離ｆ１〜ｆ３のうちのいずれかに選択されているものを入力する。そして、入力した焦点距離ｆを用いて倍率規則Ｒｂを参照して調整倍率Ｂを設定する（ステップＳ１４０）。次に、コロ位置センサー２９ａからの距離リング２１ｃの操作量Ｓｏを入力し（ステップＳ１５０）、入力した操作量Ｓｏを用いて切出規則Ｒｋを参照して切出位置Ｋを設定する（ステップＳ１６０）。
【００２７】
こうして、調整倍率Ｂと切出位置Ｋとを設定すると、サブ画像ＧＳの切出位置Ｋに基づいた位置で調整倍率Ｂに基づいた大きさの切出領域から部分画像ＧＳｐを切り出し（ステップＳ１７０）、切り出した部分画像ＧＳｐに対し調整倍率Ｂに従ったサイズ調整を行なう（ステップＳ１８０）。調整倍率Ｂは、焦点距離ｆを用いて倍率規則Ｒｂを参照して設定されたものであるため、サイズ調整された部分画像ＧＳｐは、そこに映し出されている被写体の大きさがメイン画像ＧＭの被写体と同じ大きさとなる。こうしてサイズ調整が行なわれた部分画像ＧＳｐをメイン画像ＧＭの中央に重ね合わせてファインダー画像ＧＦを生成する（ステップＳ１９０）。ファインダー画像ＧＦの生成は、下層のメイン画像ＧＭに対する上層のサブ画像ＧＳの透明度を示す係数αに基づいて、部分画像ＧＳｐの画素値ｓとメイン画像ＧＭの画素値ｍとを混合するアルファブレンド処理により、重ね合わせ部分の画素値を生成することにより行なう。なお、重ね合わせ部分を除く部分は、メイン画像ＧＭの画素値ｍを用いる。図８は、ファインダー画像ＧＦが生成される様子を示す説明図である。図示するように、ファインダー画像ＧＦの重ね合わせ部分はアルファブレンド処理により二重像として生成される。なお、重ね合わせ部分では、サブ画像ＧＳから切り出された部分画像ＧＳｐを実線で示し、メイン画像ＧＭを点線で示す。
【００２８】
こうしてファインダー画像ＧＦを生成すると、生成したファインダー画像ＧＦをＥＶＦ８２に表示して（ステップＳ２００）、ステップＳ１００に戻り処理を繰り返す。このように、撮影レンズ２１の焦点距離ｆを用いて倍率規則Ｒｂを参照して調整倍率Ｂを設定すると共にメイン電子撮像ユニット２０のピント位置を反映するコロ位置センサー２９ａからの操作量Ｓｏを用いて切出規則Ｒｋを参照して切出位置Ｋを設定し、設定した切出位置Ｋから切り出された部分画像ＧＳｐを調整倍率Ｂに従ってサイズ調整してからメイン画像ＧＭに重ね合わせたファインダー画像ＧＦを表示することができる。このため、メイン電子撮像ユニット２０のピント合わせ操作に応じて重ね合わせ部分の二重像が変化するファインダー画像ＧＦを生成することができる。図９は、ファインダー画像ＧＦのずれとピント合わせとの関係を示す説明図である。図９（ｂ）では、重ね合わせ部分にずれが生じていないが、これはサブ画像ＧＳ中の被写体画像から正しい位置の部分画像ＧＳｐを切り出していることを意味し、被写体にピントが合致している。一方、図９（ａ），（ｃ）では重ね合わせ部分にずれが生じており、これはサブ画像ＧＳ中の被写体画像からずれた位置の部分画像ＧＳｐを切り出していることを意味し、被写体とピントがずれている。なお、図９（ａ）では、被写体よりも奥側にピントがずれており、図９（ｃ）では被写体よりも手前側にピントがずれている。このように、ユーザーは、ファインダー画像ＧＦの重ね合わせ部分のずれを確認しながら、ピント合わせをすることができる。ここで、ファインダー画像ＧＦは、主にメイン画像ＧＭを用いて部分画像ＧＳｐを重ね合わせたものであるから、メイン画像ＧＭと視差のない画像とすることができる。また、現在取り付けられている撮影レンズ２１の焦点距離ｆを用いて部分画像ＧＳｐのサイズを調整した上でメイン画像ＧＭに重ね合わせるから、重ね合わせ部分の画像に大きさのずれが生じることはない。
【００２９】
次に、ユーザーにより倍率規則Ｒｂが補正される際のデジタルカメラ１０の動作について説明する。図１０は、メインコントローラー３０により実行される補正処理ルーチンの一例を示す説明図である。この処理は、ユーザーのモード選択ボタン９０ｄの操作により補正用モードとされたときに実行される。なお、ここでは、切出位置Ｋが正常であることを前提に調整倍率Ｂに対する補正について説明する。この補正処理ルーチンが実行されると、メインコントローラー３０は、まず、基準距離Ｌの位置に目標物Ｍを置いて、距離リング２１ｃの距離目盛りが距離Ｌを示す回転位置となるよう操作する作業を行ない、作業が完了すればＯＫボタン９０ｅを操作することを促す旨の指示画面を液晶モニター８４に表示して（ステップＳ３００）、ユーザーによりＯＫボタン９０ｅが操作されるのを待つ（ステップＳ３１０）。ＯＫボタン９０ｅが操作されると、現在取り付けられている撮影レンズ２１の焦点距離ｆを入力する（ステップＳ３２０）。上述したように、焦点選択レバー９０ｈにより選択されているものを入力する。こうして焦点距離ｆを入力すると、現在の調整倍率Ｂと切出位置Ｋとに従ってファインダー画像ＧＦを生成する（ステップＳ３４０）。この処理は、上述したファインダー画像表示処理ルーチンの処理と同様に行なわれる。なお、このときの調整倍率Ｂは、入力した焦点距離ｆを用いて倍率規則Ｒｂを参照して設定された倍率となっている。そして、生成されたファインダー画像ＧＦの重ね合わせ部分を拡大したファインダー画像ＧＦ’をＥＶＦ８２に表示する（ステップＳ３５０）。図１１は、補正用モードでのファインダー画像ＧＦ’の一例を示す説明図である。図示するように、重ね合わせ部分が拡大して表示されると共に調整中であることを示すメッセージが表示される。ここで、本来であれば、図１１（ｂ）に示すように、重ね合わせ部分に大きさのずれのないファインダー画像ＧＦ’が表示される。しかし、何らかの異常によりメイン電子撮像ユニット２０やサブ電子撮像ユニット４０の位置が前後にずれてしまった場合などには、図１１（ａ）に示すように、重ね合わせ部分に大きさのずれが生じることがある。
【００３０】
こうしてファインダー画像ＧＦ’を表示すると、ＪＯＧダイヤル９０ｇによる調整操作（ステップＳ３６０）やＯＫボタン９０ｅの操作（ステップＳ３７０）がなされるのを待つ。調整操作がなされたときには、拡大操作か縮小操作かを判定する（ステップＳ３８０）。例えば、ＪＯＧダイヤル９０ｇが右に回されたときには拡大と判定し、左にまわされたときには縮小と判定する。拡大操作と判定したときにはＪＯＧダイヤル９０ｇの操作量に応じた正の値の倍率変更量Δｂを設定し（ステップＳ３９０）、縮小操作と判定したときにはＪＯＧダイヤル９０ｇの操作量に応じた負の値の倍率変更量Δｂを設定して（ステップＳ４００）、現在の調整倍率Ｂに倍率変更量Δｂを加えて調整倍率Ｂを変更する（ステップＳ４１０）。
【００３１】
こうして調整倍率Ｂを変更すると、ステップＳ３４０に戻り処理を繰り返し、ファインダー画像ＧＦ’において大きさのずれが確認されなくなるまでユーザーからの調整操作を繰り返し受け付ける。そして、ステップＳ３７０でＯＫボタン９０ｅが操作されたと判定したときには、現在の調整倍率Ｂで倍率規則Ｒｂを補正するか否かを問い合わせる確認メッセージをＥＶＦ８２に表示して（ステップＳ４３０）、ボタン操作がなされるのを待つ（ステップＳ４４０）。ステップＳ４４０でキャンセルボタン９０ｆが操作されると、再びステップＳ３４０に戻り処理を繰り返す。一方、ステップＳ４４０でＯＫボタン９０ｅが操作されると、倍率変更量ΔＢ（倍率変更量Δｂの累積値）を入力された焦点距離ｆにおける補正量として用いて倍率規則Ｒｋを補正して（ステップＳ４５０）、本ルーチンを終了する。倍率規則Ｒｋの補正として、例えば、入力された焦点距離ｆが焦点距離ｆ２の場合を考える。この場合、まず、焦点距離ｆ２の調整倍率Ｂ２に対して倍率変更量ΔＢが補正量として加算される。また、焦点距離ｆ１の調整倍率Ｂ１に対しては、倍率変更量ΔＢを調整倍率Ｂ２と調整倍率Ｂ１との比に応じた量を補正量として加算する。なお、焦点距離ｆ３の調整倍率Ｂ３に対しても同様である。これにより、簡易な方法でユーザーによる倍率規則Ｒｂの補正を可能とすることができる。なお、複数の焦点距離のそれぞれについて倍率変更量ΔＢを取得して、それらに基づいて倍率規則Ｒｋを補正してもよい。
【００３２】
ここで、デジタルカメラ１０の出荷時の倍率規則Ｒｂは、デジタルカメラ１０の製造工程において、デジタルカメラ１０の個体差を反映した上で登録されている。以下、デジタルカメラ１０の製造方法と合わせて説明する。図１２は、デジタルカメラ１０の製造工程の一例を示す説明図である。デジタルカメラ１０の製造工程としては、まず、各構成部品を本体１２に組み付ける（工程Ｓ５００）。この組付工程では、メイン電子撮像ユニット２０やサブ電子撮像ユニット４０、画像処理部７０、表示制御部８０、ＥＶＦ８２、液晶モニター８４、操作スイッチ群９０、メインコントローラー３０などが本体１２に組み付けられる。このときフラッシュメモリー３８には、倍率規則Ｒｂとして各焦点距離におけるデフォルトの調整倍率が登録され、また、切出規則Ｒｋとしては既に生成されたものが登録されている。こうしてデジタルカメラ１０を組み付けると、倍率規則Ｒｂを生成するための準備を行なう（工程Ｓ５１０）。この準備工程では、デジタルカメラ１０の図示しない電源ボタンをオンとして三脚などに固定し、固定されたデジタルカメラ１０から所定距離Ｌだけ離れた位置に目標物Ｍを置き、焦点選択レバー９０ｈを操作して現在取り付けられている撮影レンズ２１の焦点距離ｆ（ここでは、焦点距離ｆ１とする）に合わせておき、距離リング２１ｃに記された距離目盛りが距離Ｌを示す回転位置となるよう回転操作する。また、このとき、デジタルカメラ１０では、電源ボタンがオンされたことにより、上述したファインダー画像表示処理ルーチンが実行される。このため、切出位置ｋと焦点距離ｆ１に対応するデフォルトの調整倍率とに従って生成されたファインダー画像ＧＦがＥＶＦ８２に表示される。
【００３３】
こうしてファインダー画像ＧＦが表示されると、表示されたファインダー画像ＧＦの重ね合わせ部分の大きさのずれを確認する（工程Ｓ５２０）。このとき、デジタルカメラ１０の個体差に伴って、重ね合わせ部分に若干のずれが生じることがある。なお、デジタルカメラ１０の個体差は、メイン電子撮像ユニット２０やサブ電子撮像ユニット４０などの各部品の製造誤差や組付誤差、イメージセンサー２２，４２の特性などに起因して生じるものである。そして、確認工程において大きさのずれを確認したときには、そのずれが確認できなくなるまで倍率調整を行なう（工程Ｓ５３０）。この倍率調整は、図１０の補正処理ルーチンの調整処理と同様に行なわれる。大きさのずれが確認できなくなったときには、焦点距離ｆ１における調整量として用いて倍率規則Ｒｂを生成してフラッシュメモリー３８に登録する（工程Ｓ５４０）。倍率規則Ｒｂの生成は、図１０の補正処理ルーチンにおける倍率規則Ｒｂの補正と同様に、焦点距離ｆ１における調整量を各焦点距離における調整倍率との比に応じて加算することなどにより行なわれる。これにより、デジタルカメラ１０の組付誤差などに起因して生じる個体差に伴う大きさのずれを排除して、精度の高い倍率規則Ｒｂを生成して登録することができる。
【００３４】
ここで、本実施形態の構成要素と本発明の構成要素との対応関係を明らかにする。本実施形態のＥＶＦ８２が本発明の「画像表示手段」に相当し、メイン電子撮像ユニット２０が「メイン撮像手段」に相当し、サブ電子撮像ユニット４０が「サブ撮像手段」に相当し、焦点選択レバー９０ｈが「焦点距離取得手段」に相当し、メインコントローラー３０が「倍率設定手段」に相当し、メインコントローラー３０と画像処理部７０とが「合成画像生成手段」に相当し、表示制御部８０が「表示制御手段」に相当する。また、ＪＯＧダイヤル９０ｇが「指示受付手段」に相当し、メインコントローラー３０が「補正手段」に相当する。
【００３５】
以上詳述した本実施形態のデジタルカメラ１０によれば、現在取り付けられている撮影レンズ２１の焦点距離ｆを取得し、取得された焦点距離ｆを用いて倍率規則Ｒｂを参照して調整倍率Ｂを設定し、サブ画像ＧＳの所定位置から切り出された部分画像ＧＳｐを設定された調整倍率Ｂに従ってサイズ調整してメイン画像ＧＭと同じ大きさとしてから、メイン画像ＧＭに重ね合わせてファインダー画像ＧＦを生成し、生成したファインダー画像ＧＦをＥＶＦ８２に表示するから、複雑な機構を採用することなく、簡易な仕組みで２つの画像を重ね合わせたファインダー画像を生成することができる。
【００３６】
また、補正用モードにおいてユーザーによる操作によって設定された倍率変更量に応じて倍率規則Ｒｂを補正するものとしたから、ユーザーによる倍率規則Ｒｂの補正を可能とすることができる。また、補正用モードでのファインダー画像ＧＦ’は、重ね合わせ部分を拡大表示するものとしたから、大きさのずれの確認を容易なものとしてスムーズに倍率規則Ｒｂの補正をすることができる。さらに、マニュアルフォーカスの操作量Ｓｏを取得し切出規則Ｒｋを参照して部分画像ＧＳｐの切出位置Ｋを設定するから、重ね合わせ部分の位置ずれを確認することにより、ピントが合っているか否かを確認することができる。
【００３７】
なお、本発明は上述した実施態様に何ら限定されることはなく、本発明の技術的範囲に属する限り種々の態様で実施し得ることはいうまでもない。
【００３８】
上述した実施形態では、ファインダー画像ＧＦをＥＶＦ８２に表示するものとしたが、これに限られず、画像表示モニター８４に表示するものとしてもよい。
【００３９】
上述した実施形態では、１つの焦点距離に対する補正量を各焦点距離に反映させるものとしたが、これに限られず、各焦点距離毎に調整倍率Ｂの調整を行なった結果をそれぞれに反映させるものとしてもよい。
【００４０】
上述した実施形態では、サブ画像ＧＳから部分画像ＧＳｐを切り出して部分画像Ｇｓｐに対してサイズ調整を行なうものとしたが、これに限られず、先にサブ画像ＧＳにサイズ調整を行なってから部分画像ＧＳｐを切り出すものとしてもよい。また、サイズ調整をサブ画像ＧＳに行なうものに限られず、メイン画像ＧＭに対して行なうものとしてもよい。
【００４１】
上述した実施形態では、サブ画像ＧＳがメイン画像ＧＭよりもサイズが小さい場合を示したが、これに限られず、サブ画像ＧＳとメイン画像ＧＭとが同じサイズであってもよいし、サブ画像ＧＳがメイン画像ＧＭよりもサイズが大きくてもよい。なお、サブ画像ＧＳから切り出した部分画像ＧＳｐをメイン画像ＧＭに合成するものとしたが、サブ画像ＧＳをそのまま合成するものとしてもよい。
【００４２】
上述した実施形態では、焦点選択レバー９０ｈにより撮影レンズ２１の焦点距離ｆが３つの焦点距離ｆ１〜ｆ３から選択されるものとしたが、これに限られず、４つ以上の焦点距離から選択されるものとしてもよい。あるいは、ユーザーが焦点距離の数値を入力するものとしてもよいし、撮影レンズ２１から電気的な通信手段などを用いてユーザーを介さずに焦点距離を取得してもよい。また、撮影レンズ２１がズームレンズであってもよく、ズームレンズを取り付けた場合には、その時点の焦点距離を電気的な通信手段などにより取り込んで、調整倍率Ｂを設定することが望ましい。ズームレンズを取り付けた場合には、倍率規則Ｒｂを連続で変化させるべきであり、倍率規則Ｒｂを関係式として記憶し、倍率を求める場合には、その関係式を用いて演算を行なって調整倍率Ｂを求めることが望ましい。
【００４３】
上述した実施形態では、距離リング２１ｃの回転量を連動コロ２９を介して検出するものとしたが、距離リング２１ｃの回転角を直接検出することにより回転量を検出するものとしてもよい。
【００４４】
上述した実施形態では、倍率規則Ｒｂを焦点距離ｆと倍率とを対応付けた規則としたが、焦点距離ｆとコロ位置センサー２９ａから取得する被写体までの距離と倍率とを対応付けた規則としてもよい。これにより、メイン画像ＧＭに写し出される被写体の大きさが被写体までの距離に依存している場合でも、部分画像ＧＳｐに写る被写体画像とメイン画像ＧＭに写る被写体画像との大きさを揃えることができる。
【００４５】
上述した実施形態では、部分画像ＧＳｐをメイン画像ＧＭにαブレンド処理を用いてそのまま重ね合わせることでファインダー画像ＧＦを生成するものとしたが、部分画像ＧＳｐ，メイン画像ＧＭの少なくとも一方の色を変化させた上でαブレンド処理を用いて重ね合わせることでファインダー画像ＧＦを生成するものとしてもよい。この場合、メイン画像ＧＭの重ね合わせ部分の画像や部分画像ＧＳｐをモノクロ化したりアンバー色を着色したりするものなどとすればよい。これにより、メイン画像ＧＭの重ね合わせ部分の画像と部分画像ＧＳｐとの区別を容易にすることができる。
【００４６】
上述した実施形態では、メイン電子撮像ユニット２０やサブ電子撮像ユニット４０における光軸回りの回転を考慮することなく切出位置Ｋや切出領域を定めるものとしたが、メイン電子撮像ユニット２０やサブ電子撮像ユニット４０における光軸回りの回転を反映した切出位置Ｋや切出領域として、被写体にピントが合致している場合に、重ね合わせ部分の回転方向のずれが生じないようにしてもよい。この場合、切出規則Ｒｋには回転に対応した情報を含めることが望ましい。
【００４７】
上述した実施形態では、倍率規則Ｒｂの生成時や補正時における調整を作業者やユーザーによるＪＯＧダイヤル９０ｇの手動操作に基づいて行なうものとしたが、これに限られず、自動で行なうものとしてもよい。
【符号の説明】
【００４８】
１０  デジタルカメラ、１２  本体、２０  メイン電子撮像ユニット、２１  撮影レンズ、２１ａ  レンズ群、２１ｂ  絞り機構、２１ｃ  距離リング、２１ｄ  繰り出し部、２２  イメージセンサー、２３  フォーカルプレーンシャッター、２４  ドライバー回路、２６  アナログフロントエンド（ＡＦＥ）、２９  連動コロ、２９ａ  コロ位置センサー、３０  メインコントローラー、３２  ＣＰＵ、３４  ＲＯＭ、３６  ＲＡＭ、３８  フラッシュメモリー、４０  サブ電子撮像ユニット、４１  サブレンズ、４１ａ，４１ｃ  レンズ群、４１ｂ  絞り機構、４２  イメージセンサー、４４  ドライバー回路、４６  アナログフロントエンド（ＡＦＥ）、６０  メモリーカード、７０  画像処理部、８０  表示制御部、８２  ＥＶＦ、８４  液晶モニター、９０  操作スイッチ群、９０ａ  シャッターボタン、９０ｂ  ダイヤルスイッチ（ダイヤルＳＷ）、９０ｃ  巻上レバー、９０ｄ  モード選択ボタン、９０ｅ  ＯＫボタン、９０ｆ  キャンセルボタン、９０ｇ  ＪＯＧダイヤル、９０ｈ  焦点選択レバー、ＧＦ，ＧＦ’  ファインダー画像、ＧＭ  メイン画像、ＧＳ  サブ画像、ＧＳｐ  部分画像、Ｍ  目標物、Ａ，Ｂ  所定間隔。
【図１】
2011135490.tif 000003
【図２】
2011135490.tif 000004
【図３】
2011135490.tif 000005
【図４】
2011135490.tif 000006
【図５】
2011135490.tif 000007
【図６】
2011135490.tif 000008
【図７】
2011135490.tif 000009
【図１０】
2011135490.tif 000010
【図１１】
2011135490.tif 000011
【図１２】
2011135490.tif 000012
【図８】
2011135490.tif 000013
【図９】
2011135490.tif 000014